(57)【要約】【課題】底面に魅力的な像を映し出すことができ、また、複数種類の素材、例えば、金属と他の素材をそれぞれの素材の特性を引き出すような装飾効果を引き出すように組合わせた複合容器を提供すること。【解決手段】環状に開いている凹状反射底面３ａと、前記凹状反射底面３ａの環状の上端縁部から上方に連続して延出された上方環状内周面２ａとを備えていることを特徴とする。【選択図】  図１
2016185279.tif 000002
【特許請求の範囲】
【請求項１】
環状に開いている凹状反射底面と、
前記凹状反射底面の環状の上端縁部から上方に連続して延出された上方環状内周面とを備えている
ことを特徴とする複合容器。
【請求項２】
前記凹状反射底面の焦点が前記上端縁部と底面との間に設定されている
ことを特徴とする請求項１に記載の複合容器。
【請求項３】
前記上方環状内周面には装飾が施されている
ことを特徴とする請求項１または請求項２に記載の複合容器。
【請求項４】
前記凹状反射底面には、当該凹状反射底面の中心から環状の上端縁部に至る大きさに対応して、前記凹状反射底面の光軸方向上部に向けて、
中心部に前記上方環状内周面の上端縁部より外部の実像が径方向の逆側位置に上下逆かつ左右逆の円形の中心像として反射され、
前記中心像の外側には前記上方環状内周面に到達するまで貯留された液体の下面に全反射する前記上方環状内周面の上端縁から前記凹状反射底面の中心部に至る内周面像が径方向の逆側位置に上下そのままかつ左右逆の環状の内側環状像として反射され、
前記内側環状像の外側には前記上方環状内周面の下端縁から前記上方環状内周面の上端縁部より外部の実像が径方向の逆側位置に上下逆かつ左右逆の環状の外側環状像として反射される
ことを特徴とする請求項１から請求項３のいずれか１項に記載の複合容器。
【請求項５】
前記凹状反射底面および上方環状内周面はそれぞれ回転面とされている
ことを特徴とする請求項１から請求項４のいずれか１項に記載の複合容器。
【請求項６】
前記凹状反射底面を有する内側容器を、
前記上方環状内周面を有する外側容器内に固着して形成されている
ことを特徴とする請求項１から請求項５のいずれか１項に記載の複合容器。
【請求項７】
前記内側容器の下面側は容器外部に連通している
ことを特徴とする請求項６に記載の複合容器。
【請求項８】
前記内側容器の上端縁部と前記外側容器の前記上方環状内周面との接合部を封止剤をもって気密液密に封止している
ことを特徴とする請求項６または請求項７に記載の複合容器。
【請求項９】
前記内側容器は金属製の杯をもって形成されている
ことを特徴とする請求項６から請求項８のいずれか１項に記載の複合容器。
【発明の詳細な説明】
【技術分野】
【０００１】
本発明は複合容器に係り、底面に魅力的な像を映し出すことのできる複合容器に関する。
【背景技術】
【０００２】
一般に、杯やぐい飲み等の酒器やティーカップ、マグカップ等の飲物用の容器には各種のデザインが施されたものが利用されている。
【０００３】
また、この種の容器は金属、木材、ガラス、陶器、樹脂、紙等の素材を用いて作成されている。
【０００４】
中でも金属は他の素材と比較して破損の心配がないので、種々の容器に利用されている（例えば、特許文献１参照）。
【先行技術文献】
【特許文献】
【０００５】
【特許文献１】実用新案登録第３１４５８４５号公報
【発明の概要】
【発明が解決しようとする課題】
【０００６】
前記特許文献１に記載されている容器を含む従来の容器においては、液体が収容される内面に各種の模様や凹凸部を設けた装飾がなされているが、単に容器の上部から目視により鑑賞するにとどまっていた。
【０００７】
また、複数種類の素材、例えば、金属と他の素材をそれぞれの素材の特性を引き出すような装飾効果を引き出すように組合わせた容器はなかった。
【０００８】
本発明はこれらの点に鑑みてなされたものであり、底面に魅力的な像を映し出すことができ、また、複数種類の素材、例えば、金属と他の素材をそれぞれの素材の特性を引き出すような装飾効果を引き出すように組合わせた複合容器を提供することを目的とする。
【課題を解決するための手段】
【０００９】
前記の課題を解決するために、本発明の第１の態様の複合容器は、環状に開いている凹状反射底面と、前記凹状反射底面の環状の上端縁部から上方に連続して延出された上方環状内周面とを備えていることを特徴とする。
【００１０】
また、本発明の第２の態様の複合容器は、前記第１の態様において、前記凹状反射底面の焦点が前記上端縁部と底面との間に設定されていることを特徴とする。
【００１１】
また、本発明の第３の態様の複合容器は、前記第１または第２の態様において、前記上方環状内周面には装飾が施されていることを特徴とする。
【００１２】
また、本発明の第４の態様の複合容器は、前記第１から第３のいずれかの態様において、前記凹状反射底面には、当該凹状反射底面の中心から環状の上端縁部に至る大きさに対応して、前記凹状反射底面の光軸方向上部に向けて、中心部に前記上方環状内周面の上端縁部より外部の実像が径方向の逆側位置に上下逆かつ左右逆の円形の中心像として反射され、前記中心像の外側には前記上方環状内周面に到達するまで貯留された液体の下面に全反射する前記上方環状内周面の上端縁から前記凹状反射底面の中心部に至る内周面像が径方向の逆側位置に上下そのままかつ左右逆の環状の内側環状像として反射され、前記内側環状像の外側には前記上方環状内周面の下端縁から前記上方環状内周面の上端縁部より外部の実像が径方向の逆側位置に上下逆かつ左右逆の環状の外側環状像として反射されることを特徴とする。
【００１３】
また、本発明の第５の態様の複合容器は、前記第１から第４のいずれかの態様において、前記凹状反射底面および上方環状内周面はそれぞれ回転面とされていることを特徴とする。
【００１４】
また、本発明の第６の態様の複合容器は、前記第１から第５のいずれかの態様において、前記凹状反射底面を有する内側容器を、前記上方環状内周面を有する外側容器内に固着して形成されていることを特徴とする。
【００１５】
また、本発明の第７の態様の複合容器は、前記第６の態様において、前記内側容器の下面側は容器外部に連通していることを特徴とする。
【００１６】
また、本発明の第８の態様の複合容器は、前記第６または第７の態様において、前記内側容器の上端縁部と前記外側容器の前記上方環状内周面との接合部を封止剤をもって気密液密に封止していることを特徴とする。
【００１７】
また、本発明の第９の態様の複合容器は、前記第６から第８のいずれかの態様において、前記内側容器は金属製の杯をもって形成されていることを特徴とする。
【発明の効果】
【００１８】
本発明の複合容器は前記のように構成されているために、底面に魅力的な像を映し出すことができ、また、複数種類の素材、例えば、金属と他の素材をそれぞれの素材の特性を引き出すような装飾効果を引き出すようことができる。
【図面の簡単な説明】
【００１９】
【図１】本発明の複合容器の実施形態を示す正面斜視図
【図２】（ａ）は図１の正面断面図、（ｂ）は（ａ）の円部拡大図
【図３】本発明の複合容器の内周面の断面を用いた結像状態を示す光学的説明図
【図４】一杯に水を満たした状態の複合容器の図１の平面図
【発明を実施するための形態】
【００２０】
以下、本発明の実施の形態について、図１から図４に基づいて説明する。
【００２１】
図１および図２は本発明の複合容器の１実施形態を示している。
【００２２】
本実施形態の複合容器１は、外側容器２の内側に内側容器３を固着して形成されている。
【００２３】
一方の内側容器３は環状に開いている凹状反射底面３ａを有している。本実施形態においては、内側容器３は金属（例えば、銀、ステンレス等）の杯状に形成されており、回転凹曲面状の凹状反射底面３ａを有している。
【００２４】
他方の外側容器２は上方に末広がりな筒状に形成されており、高さ方向の途中に内側容器３の周縁部３ｂを載置する段部２ｂが形成されており、内側容器３より上側部分の内周面は、内側容器３の凹状反射底面３ａの環状の上端縁部から上方に連続して延出された回転円筒面状の上方環状内周面２ａとされている。この上方環状内周面２ａには、種々の装飾４（本実施形態においては上下左右の方向がわかりやすい絵柄としている）が施されている。また、本実施形態においては、外側容器２は木材、ガラス、陶器、樹脂等の熱膨張率の小さい素材を用いて作成されている。
【００２５】
外側容器２の内側に内側容器３を固着する手法としては、各種の手法を選択して実行すると良い。例えば、外側容器２の段部２ｂ上に内側容器３の周縁部に形成したフランジ部３ｂを載置して、両者を接着剤を用いて接着したり、金属製の内側容器３の熱的膨縮を利用して熱的嵌合させると良い。フランジ部３ｂとしては、図示例のように湾曲させて段部２ｂとの間に接着剤を収容するポケットを形成したり、水平に平坦に伸びるように形成しても良い。接着剤としては、エポキシ樹脂系（弾力性ある物を含む）、弾力接着可能なシリコーン樹脂系、ＵＶ硬化系、ＥＢ硬化系等を単独若しくは組合わせて接着目的に応じて選択すると良い。更に、内側容器３の周縁部と外側容器２の上方環状内周面２ａとの接合部の上面を封止剤（図示せず）をもって気密液密に封止している。この封止剤としては、食品衛生上に優れている透明漆を用いるとよい。更に、複合容器１は殺菌、消毒のために煮沸処理されることがあるので、内側容器３の下面側を閉空間としないで容器外部に連通させておくと良い。これにより閉空間内の気体の膨張による内側容器３と外側容器２との剥離を防止することができる。
【００２６】
次に、本実施形態の複合容器１による結像状態を図３および図４により説明する。
【００２７】
図３は、本発明の複合容器１の内周面の断面を用いた結像状態を示す光学的説明図であり、図４は一杯に水を満たした状態の複合容器１の内周面に映る像を示す平面図である。
【００２８】
図３において、鉛直方向（図において上下方向）を光軸Ｌ方向とし、内側容器３の凹状反射底面３ａと外側容器２の上方環状内周面２ａとを示しており、上方環状内周面２ａに施された装飾４を太矢印で示しており、上方環状内周面２ａの上端部まで水が満たされている水面を横線Ｗによって示している。凹状反射底面３ａの焦点Ｆは当該凹状反射底面３ａの上端縁部と底面との間に設定されている。当該焦点Ｆは凹状反射底面３ａの上端縁部より外側に設定しても良い。
【００２９】
この凹状反射底面３ａには、凹状反射底面３ａの中心から環状の上端縁部に至る大きさに対応して、凹状反射底面３ａの光軸Ｌ方向上部に向けて、
【００３０】
第１に、中心部に上方環状内周面２ａの上端縁部より外部の実像が径方向の逆側位置に上下逆かつ左右逆の円形の中心像５ａ（図４参照）として反射され、
【００３１】
第２に、中心像５ａの外側には上方環状内周面２ａに到達するまで貯留された液体の下面（Ｗ）に全反射する上方環状内周面２ａの上端縁から凹状反射底面３ａの中心部に至る内周面像が径方向の逆側位置に上下そのままかつ左右逆の環状の内側環状像５ｂとして反射され、
【００３２】
第３に、内側環状像５ｂの外側には上方環状内周面２ａの下端縁から上方環状内周面２ａの上端縁部より外部の実像が径方向の逆側位置に上下逆かつ左右逆の環状の外側環状像５ｃとして反射される。
【００３３】
これらの中心像５ａ、内側環状像５ｂおよび外側環状像５ｃが凹状反射底面３ａに反射する領域（大きさ）は、凹状反射底面３ａの径方向の大きさならびに水Ｗの貯留量に応じて変化するので、調整すると良い。
【００３４】
図３により更に説明する。
【００３５】
外側環状像５ｃは、装飾４が焦点Ｆを通り凹状反射底面３ａにおいて反射して光軸Ｌ方向と平行に出光して形成される（図３の細破線参照）。
【００３６】
内側環状像５ｂは、装飾４が水面Ｗに反射してその後焦点Ｆを通り凹状反射底面３ａにおいて反射して光軸Ｌ方向と平行に出光して形成される（図３の細実線参照）。
【００３７】
中心像５ａは、上方環状内周面２ａの上端縁部より外部の実像Ｐが水面Ｗを通過しその後焦点Ｆを通り凹状反射底面３ａにおいて反射して光軸Ｌ方向と平行に出光た光と、実像Ｐから光軸Ｌ方向と平行にして水面Ｗを通過して凹状反射底面３ａにおいて反射してその後焦点Ｆを通過した光とが交差することにより実像Ｐａとして形成される（図３の細鎖線参照）。
【００３８】
このように図４に示す通り、本実施形態の複合容器１においては、内側容器３の底面となる凹状反射底面３ａに中心像５ａ、内側環状像５ｂおよび外側環状像５ｃからなる魅力的な像を映し出すことができる。更に、中心像５ａは光軸Ｌから外方に移動した位置より目視すると透明な球状（ボール状）の像として視認される。この球状の中心像５ａと組合せるために、凹状反射底面３ａの中心部に兎、月見草等の模様を装飾するとよい。
【００３９】
更に、内側容器３を金属とし、外側容器２を木材、ガラス、陶器、樹脂等の素材を用いることにより、複数種類の素材、例えば、金属と他の素材をそれぞれの素材の特性を引き出すような装飾効果を引き出すように用いることができる。
【００４０】
装飾４としては複合容器１の用途に応じて公知の装飾手法を選択して施すと良い。
【００４１】
なお、本発明は前記実施形態に限られず必要に応じて種々変更することができる。
【００４２】
例えば、凹状反射底面３ａとしては、双曲線、円その他の二次曲線の回転面とする他に、平面が多角形状の凹面としても良い。
【００４３】
外側容器２としては、既存の容器の内側に内側容器３を内蔵するようにしても良い。この場合、内側容器の下面と外側容器の底面との間に形成される閉空間を外部に連通させる連通孔を外部容器に形成すると良い。
【符号の説明】
【００４４】
１  複合容器
２  外側容器
２ａ  上方環状内周面
３  内側容器
３ａ  凹状反射底面
４  装飾
Ｌ  光軸
【図１】
2016185279.tif 000003
【図２】
2016185279.tif 000004
【図３】
2016185279.tif 000005
【図４】
2016185279.tif 000006
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
環状に開いている凹状反射底面と、
前記凹状反射底面の環状の上端縁部から上方に連続して延出された上方環状内周面とを備えている複合容器であって、
前記上方環状内周面には装飾が施されており、
前記凹状反射底面の焦点は前記上端縁部と底面との間に設定されており、
前記上方環状内周面に到達するまで貯留された液体の存在下において、
前記凹状反射底面には、当該凹状反射底面の中心から環状の上端縁部に至る大きさに対応して、前記凹状反射底面の光軸方向上部に向けて、
中心部に前記上方環状内周面の上端縁部より外部の実像が径方向の逆側位置に上下逆かつ左右逆の円形の中心像として反射され、当該中心像は光軸から外方に移動した位置より目視すると透明な球状（ボール状）の像として視認され、
前記中心像の外側には前記上方環状内周面に到達するまで貯留された液体の下面に全反射する前記上方環状内周面の上端縁から前記凹状反射底面の中心部に至る内周面像が径方向の逆側位置に上下そのままかつ左右逆の環状の内側環状像として反射され、
前記内側環状像の外側には前記上方環状内周面の下端縁から前記上方環状内周面の上端縁部より外部の実像が径方向の逆側位置に上下逆かつ左右逆の環状の外側環状像として反射される
ことを特徴とする複合容器。
【請求項２】
前記凹状反射底面および上方環状内周面はそれぞれ回転面とされている
ことを特徴とする請求項１に記載の複合容器。
【請求項３】
前記凹状反射底面を有する内側容器を、
前記上方環状内周面を有する外側容器内に固着して形成されている
ことを特徴とする請求項１または請求項２に記載の複合容器。
【請求項４】
前記内側容器の下面側は容器外部に連通している
ことを特徴とする請求項３に記載の複合容器。
【請求項５】
前記内側容器の上端縁部と前記外側容器の前記上方環状内周面との接合部を封止剤をもって気密液密に封止している
ことを特徴とする請求項３または請求項４に記載の複合容器。
【請求項６】
前記内側容器は金属製の杯をもって形成されている
ことを特徴とする請求項３から請求項５のいずれか１項に記載の複合容器。
【手続補正２】
【補正対象書類名】明細書
【補正対象項目名】０００９
【補正方法】変更
【補正の内容】
【０００９】
前記の課題を解決するために、本発明の第１の態様の複合容器は、環状に開いている凹状反射底面と、前記凹状反射底面の環状の上端縁部から上方に連続して延出された上方環状内周面とを備えている複合容器であって、前記上方環状内周面には装飾が施されており、前記凹状反射底面の焦点は前記上端縁部と底面との間に設定されており、前記凹状反射底面には、当該凹状反射底面の中心から環状の上端縁部に至る大きさに対応して、前記凹状反射底面の光軸方向上部に向けて、中心部に前記上方環状内周面の上端縁部より外部の実像が径方向の逆側位置に上下逆かつ左右逆の円形の中心像として反射され、当該中心像は光軸から外方に移動した位置より目視すると透明な球状（ボール状）の像として視認され、前記中心像の外側には前記上方環状内周面に到達するまで貯留された液体の下面に全反射する前記上方環状内周面の上端縁から前記凹状反射底面の中心部に至る内周面像が径方向の逆側位置に上下そのままかつ左右逆の環状の内側環状像として反射され、前記内側環状像の外側には前記上方環状内周面の下端縁から前記上方環状内周面の上端縁部より外部の実像が径方向の逆側位置に上下逆かつ左右逆の環状の外側環状像として反射されることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、本発明の第２の態様の複合容器は、前記第１の態様において、前記凹状反射底面および上方環状内周面はそれぞれ回転面とされていることを特徴とする。
【手続補正７】
【補正対象書類名】明細書
【補正対象項目名】００１４
【補正方法】変更
【補正の内容】
【００１４】
また、本発明の第３の態様の複合容器は、前記第１または第２の態様において、前記凹状反射底面を有する内側容器を、前記上方環状内周面を有する外側容器内に固着して形成されていることを特徴とする。
【手続補正８】
【補正対象書類名】明細書
【補正対象項目名】００１５
【補正方法】変更
【補正の内容】
【００１５】
また、本発明の第４の態様の複合容器は、前記第３の態様において、前記内側容器の下面側は容器外部に連通していることを特徴とする。
【手続補正９】
【補正対象書類名】明細書
【補正対象項目名】００１６
【補正方法】変更
【補正の内容】
【００１６】
また、本発明の第５の態様の複合容器は、前記第３または第４の態様において、前記内側容器の上端縁部と前記外側容器の前記上方環状内周面との接合部を封止剤をもって気密液密に封止していることを特徴とする。
【手続補正１０】
【補正対象書類名】明細書
【補正対象項目名】００１７
【補正方法】変更
【補正の内容】
【００１７】
また、本発明の第６の態様の複合容器は、前記第３から第５のいずれかの態様において、前記内側容器は金属製の杯をもって形成されていることを特徴とする。